(57)【要約】【課題】放熱性を向上する。【解決手段】本開示のジョイントコネクタ１０は、バスバー端子１２と、ハウジング１４と、放熱板１６と、を備えるジョイントコネクタ１０であって、ハウジング１４は、少なくとも２つの嵌合部３０と、２つの嵌合部３０を区画してバスバー端子１２を保持する保持部３２と、を備え、放熱板１６は、ハウジング１４の外面のうち、保持部３２に近い外面に接するように装着されている。【選択図】図４
2020155308.tif 000002
【特許請求の範囲】
【請求項１】
バスバー端子と、ハウジングと、放熱板と、を備えるジョイントコネクタであって、
前記ハウジングは、少なくとも２つの嵌合部と、前記２つの嵌合部を区画して前記バスバー端子を保持する保持部と、を備え、
前記放熱板は、前記ハウジングの外面のうち、前記保持部に近い外面に接するように装着されているジョイントコネクタ。
【請求項２】
前記放熱板は、前記ハウジングの外面における一対の側面のうち、前記保持部に対応した側面対応部を備えている請求項１に記載のジョイントコネクタ。
【請求項３】
前記放熱板の前記側面対応部は、前記側面の全体を覆っている請求項２に記載のジョイントコネクタ。
【請求項４】
前記ハウジングの外面のうち、前記側面に隣り合う一方の面には、溝部が設けられており、
前記溝部は、前記一方の面における前記保持部に近い底面を有しており、
前記放熱板は、前記溝部の前記底面に対応する底面対応部を備えている請求項２または請求項３に記載のジョイントコネクタ。
【発明の詳細な説明】
【技術分野】
【０００１】
本開示は、ジョイントコネクタに関する。
【背景技術】
【０００２】
特許文献１には、複数のオス端子を有するオスコネクタと、複数のオス端子と嵌合される複数のメス端子を有するメスコネクタと、を備えるジョイントコネクタが開示されている。オス端子は、プリント回路基板上に所定間隔で一方向およびこれと交差する方向に配されている。オス端子間は、プリント回路基板上に設けられた銅箔回路によって選択的に接続されている。
【先行技術文献】
【特許文献】
【０００３】
【特許文献１】特開２００４−１１１２７９号公報
【発明の概要】
【発明が解決しようとする課題】
【０００４】
上記のジョイントコネクタでは、通電された際に端子接点において生じる熱は、オス端子を介してプリント回路基板に伝わり、プリント回路基板から外部に放熱される。しかしながら、例えばバスバー端子がハウジング内の隔壁に圧入、保持される場合、ハウジング内に熱がこもり易くなり、放熱性が低下してしまう。
【課題を解決するための手段】
【０００５】
本開示のジョイントコネクタは、バスバー端子と、ハウジングと、放熱板と、を備えるジョイントコネクタであって、前記ハウジングは、少なくとも２つの嵌合部と、前記２つの嵌合部を区画して前記バスバー端子を保持する保持部と、を備え、前記放熱板は、前記ハウジングの外面のうち、前記保持部に近い外面に接するように装着されている。
【発明の効果】
【０００６】
本開示によれば、放熱性を向上できる。
【図面の簡単な説明】
【０００７】
【図１】図１は、実施形態にかかるジョイントコネクタの斜視図である。
【図２】図２は、下方から見たジョイントコネクタの斜視図である。
【図３】図３は、相手側コネクタが取り外された状態におけるジョイントコネクタの斜視図である。
【図４】図４は、図３におけるＡ−Ａ位置において切断した断面斜視図である。
【図５】図５は、図３におけるＢ−Ｂ位置において切断した断面斜視図である。
【発明を実施するための形態】
【０００８】
［本開示の実施形態の説明］
最初に本開示の実施態様を列記して説明する。本開示のジョイントコネクタは、
（１）バスバー端子と、ハウジングと、放熱板と、を備えるジョイントコネクタであって、前記ハウジングは、少なくとも２つの嵌合部と、前記２つの嵌合部を区画して前記バスバー端子を保持する保持部と、を備え、前記放熱板は、前記ハウジングの外面のうち、前記保持部に近い外面に接するように装着されている。
バスバー端子に通電された際にバスバー端子において生じた熱は、まず、バスバー端子を保持するハウジングの保持部に伝わり、次に、ハウジングの保持部に近いハウジングの外面に伝わることとなる。そこで、放熱板を、保持部に近い外面に接するように装着することで、バスバー端子において生じた熱が放熱板に伝わり易くできる。これにより、放熱性を向上できる。
【０００９】
また、前記放熱板は、前記ハウジングの外面における一対の側面のうち、前記保持部に対応した側面対応部を備えていることが好ましい。
ハウジングの側面は、保持部からの熱が伝わり易く、高温になり易い傾向がある。そこで、放熱板の側面対応部を側面に接するように装着することで、放熱性を向上し易くできる。
【００１０】
また、前記放熱板の前記側面対応部は、前記側面の全体を覆っていることが好ましい。
放熱板の側面対応部は側面の全体を覆っていることから、放熱板が保持部に対応する側面の一部を覆う構成と比較して、放熱板の面積が広くなることから、放熱性をさらに向上できる。
【００１１】
また、前記ハウジングの外面のうち、前記側面に隣り合う一方の面には、溝部が設けられており、前記溝部は、前記一方の面における前記保持部に近い底面を有しており、前記放熱板は、前記溝部の前記底面に対応する底面対応部を備えていることが好ましい。
溝部は一方の面における保持部に近い底面を有しているため、溝部の底面にバスバー端子で生じた熱が伝わり易くなる。そこで、底面対応部を溝部の底面に接するように配することにより、溝部の底面に伝わった熱が、底面対応部を介して放熱板全体に伝わるため、放熱性をさらに向上できる。
【００１２】
［本開示の実施形態の詳細］
本開示のジョイントコネクタ１０の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１３】
図４、図５に示すように、本実施形態のジョイントコネクタ１０は、バスバー端子１２と、ハウジング１４と、放熱板１６と、を備えて構成されている。図１、図２に示すように、ジョイントコネクタ１０には、４つの相手側コネクタ１８（相手側コネクタ１８Ａ、相手側コネクタ１８Ｂ、相手側コネクタ１８Ｃ、相手側コネクタ１８Ｄ）が嵌合される。以降の説明では、ハウジング１４と相手側コネクタ１８との嵌合方向を基準として前後方向とする。また、図３において、図示奥側の側面３８から図示手前側の側面３８に向かう方向を、左右方向における右方向とする。また、図３において、図示下側から図示上側に向かう方向を、上下方向における上方向とする。
【００１４】
図４に示すように、バスバー端子１２は、前方に延びる第１接続部２０と、後方に延びる第２接続部２２と、第１接続部２０および第２接続部２２に連なる中継部２４と、を備えて構成されている。バスバー端子１２は、ハウジング１４内に複数設けられている。左右方向に隣り合うバスバー端子１２同士は、連結部２６によって選択的に接続されている。
【００１５】
図４に示すように、ハウジング１４は、フード部２８と、嵌合部３０と、保持部３２と、を備えて構成されている。フード部２８は、第１フード部２８Ａと、第２フード部２８Ｂと、を備えて構成されている。第１フード部２８Ａは、前方に向けてフード状に開口している。第２フード部２８Ｂは、後方に向けてフード状に開口している。
【００１６】
図４に示すように、嵌合部３０は、第１嵌合部３０Ａと、第２嵌合部３０Ｂと、を備えて構成されている。第１嵌合部３０Ａは、第１フード部２８Ａの内部に設けられている。第１嵌合部３０Ａは、左右一対設けられている。それぞれの第１嵌合部３０Ａには、相手側コネクタ１８Ａ、１８Ｂ（図１、図２に示す）が嵌合される。
【００１７】
図４に示すように、第２嵌合部３０Ｂは、第２フード部２８Ｂの内部に設けられている。第２嵌合部３０Ｂは、左右一対設けられている。それぞれの第２嵌合部３０Ｂには、相手側コネクタ１８Ｃ、１８Ｄ（図１、図２に示す）が嵌合される。
【００１８】
図４、図５に示すように、保持部３２は、第１フード部２８Ａと第２フード部２８Ｂとの間に設けられている。保持部３２は、第１嵌合部３０Ａと第２嵌合部３０Ｂとを区画してバスバー端子１２を保持している。保持部３２の前面から後面にかけて、複数の圧入孔３４が貫通形成されている。複数の圧入孔３４は、上下左右方向に所定の間隔をあけて配されている。圧入孔３４には、バスバー端子１２の第２接続部２２が圧入されている。第２接続部２２は、第１フード部２８Ａ側に位置する圧入孔３４の開口から圧入される。バスバー端子１２の圧入操作は、バスバー端子１２における中継部２４の縁が、圧入孔３４の開口縁に当たることで停止される。バスバー端子１２が圧入孔３４に圧入されると、バスバー端子１２は保持部３２に保持される。
【００１９】
図３、図５に示すように、ハウジング１４における外面のうち、側面３８に隣り合う一方の面を上面４０とし、上面４０とは反対側に位置する他方の面を下面３６とする。上面４０には、溝部４２が設けられている。溝部４２は、ハウジング１４の一部を肉抜きすることにより形成されている。溝部４２は、一般的に、ハウジング１４を成形する際に生じるヒケを抑制するために設けられる。溝部４２は、左右方向に長い形状をなしている。図５に示すように、溝部４２は、ハウジング１４の上面４０における、保持部３２と対応する位置に設けられている。これにより、溝部４２の底面４２Ａは、保持部３２に近い位置となる。
【００２０】
放熱板１６は、金属板をプレス加工および曲げ加工することによって形成されている。ここで金属板は、熱伝導率の高い材料（例えば、銅合金等）によって形成されている。放熱板１６は、ハウジング１４とは別体となっている。図３に示すように、放熱板１６は左右一対設けられている。一対の放熱板１６は、左右方向からハウジング１４に装着されている。放熱板１６は、側面対応部４４と、底面対応部４６と、上側引っ掛け部４８と、下側引っ掛け部５０と、を備えて構成されている。
【００２１】
図３、図４に示すように、側面対応部４４は、ハウジング１４の側面３８に接しつつ、側面３８全体を覆っている。したがって、図４に示すように、側面対応部４４は、ハウジング１４の側面３８のうち、保持部３２に対応した側面３８Ａを覆っている。
【００２２】
図３に示すように、底面対応部４６は、側面対応部４４の上端から対向する他方の放熱板１６に向けて突出している。図５に示すように、底面対応部４６は、ハウジング１４における溝部４２の底面４２Ａに接している。
【００２３】
図３に示すように、上側引っ掛け部４８は、側面対応部４４の上端から対向する他方の放熱板１６に向けて突出している。また、上側引っ掛け部４８の先端部は下方に突出している。これにより、上側引っ掛け部４８は、全体として鉤状をなしている。上側引っ掛け部４８は、底面対応部４６を挟んで前後一対設けられている。上側引っ掛け部４８は、ハウジング１４の上面４０に設けられた溝の内壁に引っ掛かっている。これにより、上側引っ掛け部４８は、ハウジング１４に係止されている。
【００２４】
図２に示すように、下側引っ掛け部５０は、側面対応部４４の下端から対向する他方の放熱板１６に向けて突出している。また、下側引っ掛け部５０の先端部は上方に突出している。これにより、下側引っ掛け部５０は、全体として鉤状をなしている。下側引っ掛け部５０は、前後一対設けられている。下側引っ掛け部５０は、ハウジング１４の下面３６に設けられた溝の内壁に引っ掛かっている。これにより、下側引っ掛け部５０は、ハウジング１４に係止されている。
【００２５】
上側引っ掛け部４８および下側引っ掛け部５０がハウジング１４に係止されることにより、放熱板１６は、ハウジング１４に対して左右方向に変位することが規制されている。
【００２６】
図２に示すように、放熱板１６には、突出片５２が設けられている。突出片５２は、放熱板１６における一対の下側引っ掛け部５０の間に位置している。また、突出片５２は、湾曲した形状をなしている。これにより、突出片５２は、ハウジング１４における、側面３８と下面３６との間の角部に接している。突出片５２と、放熱板１６における一対の下側引っ掛け部５０との間には、一対の凹部５４が形成されている。
【００２７】
図２に示すように、一対の凹部５４のうち、一方の凹部５４の内部には、ハウジング１４の下面３６から角部にかけて設けられた凸部５６が入り込んでいる。これにより、放熱板１６はハウジング１４に対して、前後方向に変位することが規制されている。また、他方の凹部５４は、左右一対の放熱板１６を、左右とも同じ形状に形成するために設けられている。例えば、ハウジング１４における右側の側面３８に設けられた放熱板１６を左側の側面３８側に付け替えると、他方の凹部５４が、ハウジング１４の凸部５６に入り込むこととなる。これにより、放熱板１６は、左右の側面３８のいずれにも取り付けできる。
【００２８】
各相手側コネクタ１８（相手側コネクタ１８Ａ、１８Ｂ、１８Ｃ、１８Ｄ）には、図示しない複数の雌端子が収容されている。各相手側コネクタ１８がジョイントコネクタ１０にそれぞれ嵌合されると、図示しない雌端子は、バスバー端子１２に接続される。具体的には、相手側コネクタ１８Ａ、１８Ｂに収容された図示しない雌端子は、バスバー端子１２における第１接続部２０に接続される。また、相手側コネクタ１８Ｃ、１８Ｄに収容された図示しない雌端子は、バスバー端子１２における第２接続部２２に接続される。これにより、各相手側コネクタ１８における雌端子同士は、バスバー端子１２によって、選択的に接続される。
【００２９】
バスバー端子１２に通電されると、バスバー端子１２と図示しない雌端子との接点において生じる電気抵抗によって、バスバー端子１２は発熱することとなる。バスバー端子１２において生じた熱は、まず、バスバー端子１２を保持するハウジング１４の保持部３２に伝わる。次に、保持部３２に伝わった熱は、ハウジング１４の外面のうち、保持部３２に近い外面（すなわち、側面３８Ａおよび底面４２Ａ）に伝わることとなる。
【００３０】
図４に示すように、ハウジング１４における側面３８Ａは、保持部３２に近いことから保持部３２からの熱が伝わり易く、高温になり易い傾向がある。側面３８Ａに伝わった熱は、放熱板１６の側面対応部４４に伝わる。側面対応部４４に伝わった熱は、放熱板１６全体に拡散され、外部に放熱される。このとき、側面対応部４４は、ハウジング１４の側面３８Ａを含む側面３８全体を覆っていることから、側面対応部が側面３８Ａのみ覆う構成と比較して、放熱板１６の面積が広くなる。したがって、放熱板１６の放熱性を向上できる。これにより、バスバー端子１２の温度上昇にともなう電気抵抗の増大を抑制できる。
【００３１】
図５に示すように、ハウジング１４における溝部４２の底面４２Ａは、保持部３２に近いことから、バスバー端子１２において生じた熱が伝わり易くなっている。底面４２Ａに伝わった熱は、放熱板１６における底面対応部４６に伝わる。底面対応部４６に伝わった熱は、放熱板１６全体に拡散され、外部に放熱される。このような底面対応部４６を設けることによって、底面４２Ａに伝わった熱を放熱できる。したがって、放熱板１６の放熱性をさらに向上できる。
【００３２】
バスバー端子１２に通電される電流が小さい場合、バスバー端子１２の発熱は少ないため、一般的に放熱板１６は不要である。一方、バスバー端子１２に通電される電流が大きい場合、放熱板１６は必要である。ここで、放熱板１６はハウジング１４とは別体であることから、バスバー端子１２に通電される電流の大きさに応じて、放熱板１６を選択的に取り付け、または、取り外しをすることができる。放熱板１６が取り外される構成の場合、ジョイントコネクタを、放熱板１６の重さ分、軽量化できるとともに、放熱板１６の価格分、安価にすることができる。また、ジョイントコネクタの最外形はハウジング１４の最外形と等しくなる。したがって、放熱板１６を設けることによる、ジョイントコネクタの最外形の変化を考慮しなくても良くなる。
【００３３】
＜他の実施形態＞
（１）上記実施形態では、放熱板１６は、左右一対設けられる構成としたが、これに限られることはなく、例えば、左右のいずれか一方のみ設けられる構成としても良い。
（２）上記実施形態では、放熱板１６における側面対応部４４は、ハウジング１４の側面３８全体を覆う構成としたが、これに限られることはなく、例えば、側面対応部は、ハウジングの側面のうち、保持部と対応した側面の一部のみ覆う構成としても良い。
（３）上記実施形態では、放熱板１６は、側面対応部４４および底面対応部４６を設ける構成としたが、これに限られることはなく、例えば、側面対応部または底面対応部のいずれか一方のみ設ける構成としても良い。
（４）上記実施形態では、溝部４２はハウジング１４における上面４０に設けられる構成としたが、これに限られることはなく、例えば、溝部はハウジングにおける下面に設けられる構成としても良い。
【符号の説明】
【００３４】
１０：ジョイントコネクタ
１２：バスバー端子
１４：ハウジング
１６：放熱板
１８Ａ、１８Ｂ、１８Ｃ、１８Ｄ：相手側コネクタ
２０：第１接続部
２２：第２接続部
２４：中継部
２６：連結部
２８：フード部
２８Ａ：第１フード部
２８Ｂ：第２フード部
３０：嵌合部
３０Ａ：第１嵌合部
３０Ｂ：第２嵌合部
３２：保持部
３４：圧入孔
３６：下面
３８、３８Ａ：側面
４０：上面（一方の面）
４２：溝部
４２Ａ：底面
４４：側面対応部
４６：底面対応部
４８：上側引っ掛け部
５０：下側引っ掛け部
５２：突出片
５４：凹部
５６：凸部
【図１】
2020155308.tif 000003
【図２】
2020155308.tif 000004
【図３】
2020155308.tif 000005
【図４】
2020155308.tif 000006
【図５】
2020155308.tif 000007
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
バスバー端子と、ハウジングと、放熱板と、を備えるジョイントコネクタであって、
前記ハウジングは、少なくとも２つの嵌合部と、前記２つの嵌合部を区画して前記バスバー端子を保持する保持部と、を備え、
前記放熱板は、前記ハウジングの外面のうち、前記保持部に近い外面に接するように装着されているジョイントコネクタ。
【請求項２】
前記放熱板は、前記ハウジングの外面における一対の側面のうち、前記保持部に対応した部分に接する側面対応部を備えている請求項１に記載のジョイントコネクタ。
【請求項３】
前記放熱板の前記側面対応部は、前記側面の全体を覆っている請求項２に記載のジョイントコネクタ。
【請求項４】
前記ハウジングの外面のうち、前記側面に隣り合う一方の面には、溝部が設けられており、
前記溝部は、前記一方の面における前記保持部に近い底面を有しており、
前記放熱板は、前記溝部の前記底面に対応する底面対応部を備えている請求項２または請求項３に記載のジョイントコネクタ。